(57)【要約】【課題】より広範な場面で、フレキシブル配線基板のストレスや損傷を回避することが可能な表示装置およびその製造方法、並びにソース基板保持部材を提供する。【解決手段】セルおよびソース基板をフレキシブル配線基板により接続した表示部材と、セル保持部材と、ソース基板保持部材とを備え、前記ソース基板保持部材は、前記ソース基板を保持すると共に前記セル保持部材の第１の側に固定可能な保持部と、前記セル保持部材の前記第１の側とは反対の第２の側に固定可能な係留部と、前記係留部および前記保持部を繋ぐ連結部とを有する表示装置。【選択図】図７
2014032305.tif 000002
【特許請求の範囲】
【請求項１】
セルおよびソース基板をフレキシブル配線基板により接続した表示部材と、
セル保持部材と、
ソース基板保持部材と
を備え、
前記ソース基板保持部材は、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有する表示装置。
【請求項２】
前記保持部および前記係留部は、弾性を利用して嵌め込みまたは掛止により前記セル保持部材に固定可能なスナップフィット部を有する
請求項１記載の表示装置。
【請求項３】
前記連結部は、可撓性を有する
請求項１記載の表示装置。
【請求項４】
前記保持部は、
前記ソース基板を挿通可能な貫通孔と、
前記貫通孔に挿通される前記ソース基板の厚み方向に対向する第１部分および第２部分と
を有し、
前記第２部分は、平坦部であり、
前記第１部分は、前記第２部分に向かって突出する湾曲部を有する
請求項１記載の表示装置。
【請求項５】
前記湾曲部は、前記第１部分の幅方向一部に設けられており、
前記第１部分の幅方向残部は、平坦部である
請求項４記載の表示装置。
【請求項６】
前記第１部分における湾曲部と平坦部との境界線に、前記湾曲部とは逆方向に突出するリブが設けられている
請求項５記載の表示装置。
【請求項７】
前記湾曲部は、前記貫通孔に挿通される前記ソース基板の厚み方向における変位を抑えると共に、前記ソース基板の前記貫通孔への挿通方向における変位を許容する
請求項４記載の表示装置。
【請求項８】
前記セル保持部材は、
前記セルが載置される前部と、
前記前部に載置された前記セルの後面を被覆する後部と、
前記ソース基板および前記フレキシブル基板を通すことが可能な開放部と
を有し、
前記ソース基板保持部材において、前記係留部は前記前部に固定され、前記連結部は前記開放部を通って前記後部側に回り込み、前記保持部は前記ソース基板を保持して前記後部に固定される
請求項１記載の表示装置。
【請求項９】
前記開放部は、前記前部の辺に沿って設けられた、一方向に長い切欠部であり、
前記係留部は、前記開放部の長辺に固定され、
前記保持部および前記係留部は、前記連結部によって直線形に繋がれている
請求項８記載の表示装置。
【請求項１０】
前記開放部は、前記前部の辺の外側の空間であり、
前記係留部は、前記前部の辺に固定され、
前記保持部および前記係留部は、前記連結部によって直線形に繋がれている
請求項８記載の表示装置。
【請求項１１】
前記開放部は、前記前部の辺に沿って設けられた、一方向に長い切欠部であり、
前記係留部は、前記開放部の短辺に固定され、
前記保持部および前記係留部は、前記連結部によってＬ字形に繋がれている
請求項８記載の表示装置。
【請求項１２】
前記ソース基板保持部材は、前記ソース基板の長手方向両端部に配置されている
請求項１記載の表示装置。
【請求項１３】
セルおよびソース基板をフレキシブル配線基板により接続した表示部材と、セル保持部材と、ソース基板保持部材とを備えた表示装置の製造方法であって、
前記ソース基板保持部材は、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有し、
前記製造方法は、
前記表示部材の前記ソース基板を前記保持部により保持させる工程と、
前記セル保持部材の前記第２の側を上に向けた状態で、前記セルを前記セル保持部材の前記第２の側に載せ、前記係留部を前記セル保持部材の前記第２の側に固定する工程と、
前記セル保持部材を前記セルと共に反転させて前記第１の側を上に向け、前記保持部を前記セル保持部材の前記第１の側に固定する工程と
を含む表示装置の製造方法。
【請求項１４】
セルおよびソース基板をフレキシブル配線基板により接続した表示部材と、セル保持部材とを備えた表示装置に用いられるソース基板保持部材であって、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有するソース基板保持部材。
【発明の詳細な説明】
【技術分野】
【０００１】
本開示は、テレビジョン装置、モニターなどの表示装置およびその製造方法、並びにそれらに用いられるソース基板保持部材に関する。
【背景技術】
【０００２】
液晶や有機ＥＬ（Electroluminescence）等のセルには、ＣＯＦ（Chip On Film）と呼ばれるフィルムケーブル（フレキシブル配線基板）が接続されている。ＣＯＦには、ベアチップが実装され、あるいは、ソース基板が接続されている。ＣＯＦはプラスチックフィルムをベースとしているので、製造工程において捩じれ等の意図しない変形によりストレスを受けやすい。また、ＣＯＦは、セルを収容する筐体（例えばバックライト筐体）の後面側に両面接着テープ等により固定されるが、分解時に両面接着テープを剥離する際にＣＯＦが損傷を受けるおそれがある。
【０００３】
そこで、例えば特許文献１では、分解時のＣＯＦの損傷を防ぐため、ＣＯＦをバックライト背面に取り外し可能に固定する基板保持シートを用いている。この基板保持シートは、ベース片と押さえ片とを谷折り線で二つ折り可能とし、押さえ片の端に係止穴を設けたものである。ベース片をバックライト背面に貼り付け、押さえ片をまくり上げて、その下にＣＯＦを折り込み、押さえ片でＣＯＦを押さえ込んで、係止穴をバックライト側面の突起に引っ掛ける。
【先行技術文献】
【特許文献】
【０００４】
【特許文献１】特開２００３−１６７５２８号公報
【発明の概要】
【発明が解決しようとする課題】
【０００５】
しかしながら、特許文献１の基板保持シートでは、ベース片の固定場所がバックライト背面に限定されていた。そのため、この基板保持シートを使用できる場面としては、特許文献１の図４に示されているように、セルがバックライトの下にあり、バックライトの裏面が上向きになっている場合に限られてしまうという問題があった。
【０００６】
本開示はかかる問題点に鑑みてなされたもので、その目的は、より広範な場面で、フレキシブル配線基板のストレスや損傷を回避することが可能な表示装置およびその製造方法、並びにソース基板保持部材を提供することにある。
【課題を解決するための手段】
【０００７】
本開示の表示装置は、セルおよびソース基板をフレキシブル配線基板により接続した表示部材と、セル保持部材と、ソース基板保持部材とを備え、ソース基板保持部材は、ソース基板を保持すると共にセル保持部材の第１の側に固定可能な保持部と、セル保持部材の第１の側とは反対の第２の側に固定可能な係留部と、係留部および保持部を繋ぐ連結部とを有するものである。
【０００８】
本開示の表示装置では、ソース基板保持部材の保持部がセル保持部材の第１の側に固定可能であり、係留部がセル保持部材の第１の側とは反対の第２の側に固定可能となっている。従って、セル保持部材の第２の側（つまり、ソース基板を保持した保持部が最終的に固定される側とは反対側）を上に向けた状態であっても、係留部をセル保持部材の第２の側に固定することが可能となる。
【０００９】
本開示の表示装置の製造方法は、セルおよびソース基板をフレキシブル配線基板により接続した表示部材と、セル保持部材と、ソース基板保持部材とを備えた表示装置を製造するものであって、ソース基板保持部材は、ソース基板を保持すると共にセル保持部材の第１の側に固定可能な保持部と、セル保持部材の第１の側とは反対の第２の側に固定可能な係留部と、係留部および保持部を繋ぐ連結部とを有している。この製造方法は、表示部材のソース基板を保持部により保持させる工程と、セル保持部材の第２の側を上に向けた状態で、セルをセル保持部材の第２の側に載せ、係留部をセル保持部材の第２の側に固定する工程と、セル保持部材をセルと共に反転させて第１の側を上に向け、保持部をセル保持部材の第１の側に固定する工程とを含む。
【００１０】
本開示の表示装置の製造方法では、セル保持部材の第２の側を上に向けた状態で係留部をセル保持部材の第２の側に固定したのちに、セル保持部材をセルと共に反転させて第１の側を上に向けるようにしたので、ソース基板は、ソース基板保持部材に保持された状態で、セル保持部材およびセルの反転に追随して反転する。よって、フレキシブル配線基板も、セルおよびソース基板の反転に伴って、正常な形状を保持したまま反転し、捩じれ等の意図しない変形が生じにくくなる。
【００１１】
本開示のソース基板保持部材は、セルおよびソース基板をフレキシブル配線基板により接続した表示部材と、セル保持部材とを備えた表示装置に用いられるものであって、ソース基板を保持すると共にセル保持部材の第１の側に固定可能な保持部と、セル保持部材の第１の側とは反対の第２の側に固定可能な係留部と、係留部および保持部を繋ぐ連結部とを有するものである。
【発明の効果】
【００１２】
本開示の表示装置、または本開示のソース基板保持部材によれば、ソース基板保持部材の保持部をセル保持部材の第１の側に固定可能とし、係留部を第１の側とは反対の第２の側に固定可能としている。よって、セル保持部材の第２の側（つまり、ソース基板を保持した保持部が最終的に固定される側とは反対側）を上に向けた状態であっても、係留部をセル保持部材の第２の側に固定することが可能となる。従って、従来のようにセルがバックライトの下にあり、バックライトの裏面（フレキシブル配線基板が固定される面）が上向きになっている場合に限られることなく、より広範な場面で、フレキシブル配線基板にストレスや損傷が加わるのを回避することが可能となる。
【００１３】
本開示の表示装置の製造方法によれば、セル保持部材の第２の側を上に向けた状態で係留部をセル保持部材の第２の側に固定したのち、セル保持部材をセルと共に反転させて第１の側を上に向けるようにしたので、セル保持部材を反転させるのに先立って、係留部をセル保持部材の第２の側に固定しておくことが可能となる。よって、反転前または反転中にフレキシブル配線基板がストレスや損傷を受けるのを回避することが可能となる。
【図面の簡単な説明】
【００１４】
【図１】本開示の一実施の形態に係る表示装置を前面側から見た外観を表す斜視図である。
【図２】図１に示した表示装置を後面側から見た外観を表す斜視図である。
【図３】図１に示した本体部を分解して表す斜視図である。
【図４】図１に示した本体部から前部外装部材を外し、前面側を上に向けて見た構成を表す斜視図である。
【図５】図２に示した本体部から被覆部材を外し、後面側を上に向けて見た構成を表す斜視図である。
【図６】図５に示したソース基板保持部材の構成を表す斜視図である。
【図７】図６に示したソース基板保持部材のセル保持部材への取付状態を表す断面図である。
【図８】図１に示した表示装置の製造方法を工程順に表す斜視図である。
【図９】図８に続く工程を表す断面図である。
【図１０】図９に続く工程を表す断面図である。
【図１１】図１０に続く工程を表す断面図である。
【図１２】図１１に続く工程を表す断面図である。
【図１３】図７に示した保持部の取付位置の変形例を表す断面図である。
【図１４】変形例１に係る表示装置の一部を前面側から見た構成を表す平面図である。
【図１５】図１４に示したソース基板保持部材の構成を表す斜視図である。
【図１６】図１５に示したソース基板保持部材のセル保持部材への取付状態を後面側からみた平面図である。
【図１７】変形例２に係る表示装置の一部を前面側から見た構成を表す平面図である。
【図１８】図１７に示したソース基板保持部材のセル保持部材への取付状態を表す断面図である。
【発明を実施するための形態】
【００１５】
以下、本開示の実施の形態について図面を参照して詳細に説明する。なお、説明は以下の順序で行う。
１．実施の形態（直線形のソース基板保持部材を用い、係留部を開放部（長孔状の切欠部）の長辺に固定した例）
２．保持部の固定位置の変形例
３．係留部の固定位置の変形例
【００１６】
図１は、本開示の一実施の形態に係る表示装置の前面側（視聴者側）から見た外観を表したものである。この表示装置１は、例えば薄型テレビジョン装置として用いられるものであり、画像表示のための平板状の本体部２をスタンド３により支持した構成を有している。本体部２は、例えば液晶セルを用いた表示部材１０を有している。表示部材１０の前面周縁部は、額縁状の前部外装部材（ベゼル）２１により覆われている。なお、表示装置１は、スタンド３を本体部２に取付けた状態で、床，棚または台などの水平面に載置して据置型として用いられるが、スタンド３を本体部２から取り外した状態で壁掛型として用いることも可能である。
【００１７】
図２は、この表示装置１を後面側（背面側）から見た外観を表したものである。表示部材１０の後面側には、セル保持部材３０が設けられている。セル保持部材３０の外側下方の領域は、被覆部材２２により覆われている。
【００１８】
図３は、図１および図２に示した本体部２を分解して表したものである。本体部２は、例えば、前面側Ｆから後面側Ｒに向かって、前部外装部材（ベゼル）２１，表示部材１０，中間筐体（ミドルシャーシ）２３，光学シート２４，反射シート２５およびセル保持部材（リアカバー）３０をこの順に有している。セル保持部材３０の内側には、例えば複数のＬＥＤ（Light Emitting Diode）よりなる照明部材２６が配置されている。セル保持部材３０の外側下方の領域には、電源基板２７および信号基板２８等の基板類が実装されると共に、被覆部材２２が被せられている。
【００１９】
前部外装部材２１は、表示部材１０の前面周縁部を覆う額縁状の樹脂部品であり、例えばスナップフィット方式によりセル保持部材３０の周縁部に固定される。
【００２０】
表示部材１０は、例えば、液晶のセル１１と、ソース基板１２とを、ＣＯＦ（Chip On Film）などのフレキシブル配線基板１３により接続した、いわゆるオープンセルである。ソース基板１２は、セル１１のデータ線（図示せず）を駆動するソースドライバ（図示せず）が搭載されたプリント回路基板である。ソース基板１２の長手方向両端部には、ソース基板保持部材４０が取り付けられている。ソース基板保持部材４０の詳細については後述する。
【００２１】
中間筐体２３は、表示部材１０および光学シート２４を保持する枠状の樹脂部品である。光学シート２４は、拡散板、拡散シート、偏光反射シートなどを含む樹脂板である。反射シート２５は、照明部材２６からの光を表示部材１０側に反射させるためのものである。照明部材２６は、光源として例えば複数のＬＥＤを有する直下型バックライトである。なお、照明部材２６は、ＬＥＤ直下型のほか、ＬＥＤおよび導光板を用いたエッジライト型、または、光源として有機ＥＬ素子や冷陰極管を用いたものなど、特に限定されない。
【００２２】
セル保持部材３０は、図２に示したように本体部２の後ろ外側の体裁面（最表面）を構成する後部外装部材（リアカバー）であると共に、表示部材１０ないし照明部材２６を収容する後部筐体（バックシャーシ）を兼ねている。すなわち、本実施の形態では、従来から採用されている金属よりなる後部筐体（バックシャーシ）と樹脂よりなる後部外装部材（リアカバー）との二重構造ではなく、セル保持部材３０のみによる一重構造をとっている。これにより、従来の金属よりなる後部筐体（バックシャーシ）を廃止し、部品の削減が可能となる。よって、表示装置１の軽量化、製造工程の簡素化およびコスト削減が可能となる。
【００２３】
図４は、本体部２から前部外装部材２１を外し、前面側Ｆを上に向けて見た構成を表したものである。なお、図４以降では、前面側Ｆおよび後面側Ｒを示す矢印ＦＲについて、どちらが上を向いているかを特定する場合には上を向いている側に矢先をつけ、上下を特定しない場合には図３のように両側に矢先をつけている。
【００２４】
セル１１は、例えば、中間筐体２３の内側に嵌め込まれて、セル保持部材３０に収容されている。セル保持部材３０は、例えば、前部３１と、後部３２と、開放部３３と、拡張部３４とを有している。
【００２５】
前部３１は、セル１１が載置される部分である。前部３１は、中間筐体２３に支持されたセル１１の外周部を受けると共に、セル１１の外側へ庇状に広がる張出し部３１Ａを有しており、この張出し部３１Ａに、図１に示した前部外装部材２１が固定されるようになっている。
【００２６】
後部３２は、前部３１に載置されたセル１１の後面を被覆する部分である。前部３１と後部３２とは連続した一体に構成されている。後部３２の内側には、図３に示した照明部材２６，反射シート２５および光学シート２４等が収容されている。
【００２７】
開放部３３は、前部３１の下辺３１Ｂに沿って設けられた、一方向（セル内左右方向）に長い切欠部（具体的には矩形の長孔）である。ソース基板１２（図４には図示せず、図７等を参照。）およびフレキシブル配線１３は、開放部３３を通ってセル保持部材３０の後ろ側に回り込むことが可能となっている。
【００２８】
拡張部３４は、前部３１の下辺３１Ｂから後方に向かって張り出す部分であり、両端部にスピーカー用の格子穴３４Ａが設けられている。
【００２９】
図５は、本体部２から被覆部材２２を外し、後面側Ｒから見た構成を表したものである。後部３２の下方には、傾斜部３２Ａが設けられている。傾斜部３２Ａには、ソース基板１２がソース基板保持部材４０により固定されている。なお、傾斜部３２Ａには、ソース基板１２のほか、図３に示した電源基板２７および信号基板２８等も実装される。
【００３０】
図６は、ソース基板保持部材４０の構成を表したものである。ソース基板保持部材４０は、保持部４１と、係留部４２とを、連結部４３によって繋いだ構成を有している。保持部４１は、ソース基板１２を保持すると共に、セル保持部材３０の後面側Ｒ（第１の側）に固定可能である。係留部４２は、セル保持部材３０の後面側Ｒとは反対の前面側Ｆ（第２の側）に固定可能である。これにより、この表示装置１では、より広範な場面で、フレキシブル配線基板１３にストレスや損傷が加わるのを回避することが可能となっている。
【００３１】
ソース基板保持部材４０は、強度、撓み、しなやかさ、復元性などを考慮して、ナイロンまたはポリプロピレン等の樹脂材料により構成されている。
【００３２】
保持部４１は、上述したようにソース基板１２を保持する部分であり、ソース基板１２をその長手方向に挿通可能な貫通孔４１Ａを有している。図６では、貫通孔４１Ａに通されたソース基板１２の一部を空想線により表している。
【００３３】
保持部４１は、貫通孔４１Ａに挿通されるソース基板１２の厚み方向に対向する第１部分４１Ｂおよび第２部分４１Ｃを有している。第２部分４１Ｃは、平坦部である。第１部分４１Ｂは、第２部分４１Ｃに向かって突出する湾曲部４１Ｄを有していることが好ましい。湾曲部４１Ｄのばね性により、貫通孔４１Ａに挿通されたソース基板１２を押さえ、ソース基板１２の厚み方向における変位ＤＴを抑えることが可能となる。よって、部材どうしの共振による意図しない振動音（いわゆる音ビリ）を低減することが可能となり、特にソース基板１２の近傍にスピーカー（図示せず）が設けられる場合に好適である。更に、湾曲部４１Ｄは、ソース基板１２の貫通孔４１Ａへの挿通方向における変位ＤＬを許容する。よって、振動によりセル１１が移動した場合に、ソース基板１２もセル１１の移動に追随することが可能となり、フレキシブル配線基板１３にストレスや損傷がかかるのを回避することが可能となる。
【００３４】
湾曲部４１Ｄは、第１部分４１Ｂの幅方向一部に設けられており、第１部分４１Ｂの幅方向残部は平坦部４１Ｅとなっていることが好ましい。その理由は以下の通りである。平坦部４１Ｅは、第２部分４１Ｃと共に矩形枠を構成し、保持部４１全体の強度を確保する部分である。一方、湾曲部４１Ｄは、貫通孔４１Ａに挿通されたソース基板１２を押さえる部分である。第１部分４１Ｂの幅方向一部を湾曲部４１Ｄとし、幅方向残部を平坦部４１Ｅとすることにより、省スペース化と共に金型強度確保が可能となる。また、湾曲部４１Ｄを、第１部分４１Ｂの幅方向全部に設けると、湾曲部４１Ｄのばね性が強くなりすぎるおそれがある。
【００３５】
湾曲部４１Ｄと平坦部４１Ｅとの境界線には、湾曲部４１Ｄとは逆方向に突出するリブ４１Ｆが設けられていることが好ましい。平坦部４１Ｅに加えてリブ４１Ｆを設けることにより、保持部４１を補強し、湾曲部４１Ｄを設けた場合にも保持部４１の強度を確保することが可能となる。
【００３６】
また、保持部４１は、貫通孔４１Ａに挿通されたソース基板１２をセル保持部材３０の後面側Ｒに固定するための部分でもある。そのため、保持部４１は、例えば、連結部４３に連結されていないほうの先端部４１Ｇの側面に第１固定部４４を有していると共に、連結部４３に連結されているほうの先端部４１Ｈの裏面に第２固定部４５を有している。
【００３７】
第１固定部４４および第２固定部４５は、弾性を利用して嵌め込みまたは掛止によりセル保持部材３０に固定可能なスナップフィット部であることが好ましい。固定や取り外しを簡単にし、作業効率を高めることが可能となるからである。
【００３８】
第１固定部４４は、例えば、ヒンジ部４４Ａと、掛止爪４４Ｂとを有している。ヒンジ部４４Ａは、保持部４１の側面の下端に固定された固定端４４Ｃと、保持部の側面の上端に対向する可動端４４Ｄとを有し、固定端４４Ｃを軸として可動端４４Ｄを保持部４１の側面に近づく方向（矢印Ｒ１方向）に回動変位させることが可能となっている。掛止爪４４Ｂは、ヒンジ部４４Ａの外側に設けられている。
【００３９】
第１固定部４４は、保持部４１の先端部４１Ｇの幅方向一部に設けられていることが望ましい。この理由については後述の製造方法において説明する。
【００４０】
第２固定部４５は、例えば、保持部４１の第２部分４１Ｃの外側に設けられた掛止爪である。第２固定部４５の掛止爪は、図示しないが、例えば、保持部４１の幅方向全部に設けられている。
【００４１】
係留部４２は、上述したようにセル保持部材３０の前面側Ｆへの固定のための部分である。そのため、係留部４２は、例えば、第３固定部４６を有している。
【００４２】
第３固定部４６は、第１固定部４４および第２固定部４５と同様に、弾性を利用して嵌め込みまたは掛止によりセル保持部材３０に固定可能なスナップフィット部であることが好ましい。固定や取り外しを簡単にし、作業効率を高めることが可能となるからである。
【００４３】
第３固定部４６は、例えば、ヒンジ部４６Ａと、掛止爪４６Ｂとを有している。ヒンジ部４６Ａは、矩形の三辺をなす屈曲形状を有すると共に、連結部４３に固定された固定端４６Ｃと、この固定端４６Ｃにほぼ対向する可動端４６Ｄとを有し、固定端４６Ｃを軸として可動端４６Ｄを連結部４３に近づく方向（矢印Ｒ２方向）に回動変位させることが可能となっている。掛止爪４６Ｂは、ヒンジ部４６Ａの外側に設けられている。
【００４４】
第３固定部４６は、係留部４２の幅方向一部に設けられており、係留部４２の幅方向残部は、ばね性を有しない非弾性部４６Ｅとなっていることが望ましい。第３固定部４６を、係留部４２の幅方向全部に設けると、第３固定部４６のばね性が強くなりすぎるおそれがあるからである。なお、非弾性部４２Ｅは、ヒンジ部４６Ａの固定端４６Ｃと共に、連結部４３に固定されている。
【００４５】
連結部４３は、上述したように係留部４２と保持部４１とを繋ぐ部分である。保持部４１および係留部４２は、連結部４３によって直線形に繋がれている。
【００４６】
連結部４３は可撓性を有していることが好ましい。後述する製造工程においてセル保持部材３０をセル１１と共に反転させる際に、ソース基板保持部材４０がソース基板１２の動きに追従しやすくなるからである。
【００４７】
具体的には、連結部４３は、例えば、二つの断面三角形の肉厚部４３Ａ，４３Ｂと、三つの関節部４３Ｃ，４３Ｄ，４３Ｅとを交互に有している。これにより、連結部４３が関節部４３Ｃ，４３Ｄ，４３Ｅで屈曲し、可撓性を示すことが可能となる。
【００４８】
なお、連結部４３の肉厚部および関節部の個数は増減可能であることは言うまでもない。連結部４３の肉厚部および関節部の個数を増やすほど、しなやかに、折り曲げやすくすることが可能となる。
【００４９】
保持部４１，係留部４２および連結部４３の幅Ｗ４１，Ｗ４２，Ｗ４３は、同じとすることも可能であるが、図６に示したように係留部４２の幅Ｗ４２を保持部４１および連結部４３の幅Ｗ４１，Ｗ４３よりも広くして係留部４２の強度を高めるようにしてもよい。
【００５０】
図７は、ソース基板保持部材４０のセル保持部材３０への取付状態を表したものである。ソース基板保持部材４０において、係留部４２は、セル保持部材３０の前部３１において、開放部３３のセル１１から遠い側の長辺３３Ａに固定されている（図４参照。）。連結部４３は、開放部３３を通って後部３２側に回り込んでいる。保持部４１は、セル保持部材３０の後部３２に固定されている。
【００５１】
具体的には、係留部４２の第３固定部４６において、ヒンジ部４６Ａが開放部３３の長辺３３Ａに設けられた凹部３１Ｃに嵌め込まれ、掛止爪４６Ｂが開放部３３の長辺３３Ａに設けられた第３受け部３１Ｄに掛止されている。
【００５２】
保持部４１は、例えば、後部３２の傾斜部３２Ａに固定されている。具体的には、第１固定部４４の掛止爪４４Ｂがセル保持部材３０の後部３２の第１受け部３２Ｂに掛止され、第２固定部４５の掛止爪がセル保持部材３０の後部３２の第２受け部３２Ｃに掛止されている。
【００５３】
この表示装置１は、例えば、次のようにして製造することができる。
【００５４】
図８ないし図１２は、この表示装置１の製造方法を工程順に表したものである。なお、図９ないし図１２においてはフレキシブル配線基板１３を点線で表している。
【００５５】
まず、図８に示したように、セル保持部材３０を、前面側Ｆを上にして設置する。セル保持部材３０の内部に照明部材２６，反射シート２５，光学シート２４および中間筐体２３を設置する。
【００５６】
また、同じく図８に示したように、セル１１とソース基板１２とをフレキシブル配線基板１３により接続した表示部材１０を用意し、この表示部材１０を、吸着機構（図示せず）を用いて吊り上げ、セル保持部材３０の上方に移動させる。ソース基板１２は、フレキシブル配線基板１３のみによりセル１１から吊り下げられた状態である。ここで、ソース基板１２の両端部をソース基板保持部材４０の保持部４１の貫通孔４１Ａに通し、ソース基板１２を保持部４１により保持させる。
【００５７】
次いで、図９に示したように、セル保持部材３０の前面側Ｆを上に向けた状態で、セル１１をセル保持部材３０の前面側Ｆに載せる。このときも、ソース基板１２は、フレキシブル配線基板１３のみによりセル１１から吊り下げられた状態である。ソース基板保持部材４０は、ソース基板１２の両端部を保持部４１の貫通孔４１Ａ内に通しているだけである。
【００５８】
続いて、図１０の矢印Ａ１に示したように、係留部４２を、セル保持部材３０の前面側Ｆに固定する。具体的には、第３固定部４６において、ヒンジ部４６Ａを凹部３１Ｃに嵌め込み、掛止爪４６Ｂを第３受け部３１Ｄに掛止させる。凹部３１Ｃは前面側Ｆに開いているので、ヒンジ部４６Ａは、矢印Ａ１に示したように前面側Ｆからのみ凹部３１Ｃに嵌め込み可能である。
【００５９】
これにより、保持部４１は、係留部４１および連結部４３によりセル保持部材３０から吊り下げられた状態で、ソース基板１２を保持することになる。換言すれば、ソース基板１２は、フレキシブル配線基板１３によりセル１１から吊り下げられていると同時に、ソース基板保持部材４０によりセル保持部材３０から吊り下げられている。
【００６０】
そののち、セル部材３０の周縁部に前部外装部材２１を被せて固定し、図１１に示したように、セル保持部材３０をセル１１と共に反転させて後面側Ｒを上に向ける。この反転工程は、ソース基板１２の固定、スピーカー取付、基板類の実装、ケーブル等の線材処理などのために行われるものである。
【００６１】
このとき、ソース基板１２は、図１１の矢印Ａ２に示したように、ソース基板保持部材４０とフレキシブル配線基板１３との両方によって保持された状態で、セル保持部材３０およびセル１１の反転に追随して反転する。
【００６２】
仮にソース基板保持部材４０を使用しないでセル保持部材３０をセル１１と共に反転させた場合には、ソース基板１２は傾斜部３２Ａ側または拡張部３４側へ急激に落下すると考えられる。フレキシブル配線基板１３は、薄く軟らかいプラスチック薄膜フィルムをベースとしており、それ自体に自立性や形状保持性がない。そのため、ソース基板１２の急激な落下によりフレキシブル配線基板１３の形状が崩れ、捩じれや折れ曲がり等の意図しない変形を生じ、ストレスや損傷を受けるおそれがある。
【００６３】
一方、本実施の形態では、ソース基板１２は、ソース基板保持部材４０によって支持された状態で反転する。ソース基板保持部材４０は、フレキシブル配線基板１３よりも強度が高く、それ自体に自立性や形状保持性があり、連結部４３の可撓性（形状復元力）によりソース基板１２の落下速度および落下位置をコントロールすることが可能となる。よって、ソース基板１２は、例えば図１１の矢印Ａ２に示したように、セル保持部材３０およびセル１１の反転に伴って、ソース基板保持部材４０に保持されて中空に浮いた状態から、緩やかに傾斜部３２Ａ側へ倒れていく。従って、フレキシブル配線基板１３も、セル１１およびソース基板１２の反転に伴って、正常な形状を保持したまま反転し、捩じれ等の意図しない変形が生じにくくなり、ストレスや損傷が回避される。
【００６４】
そののち、図１２の矢印Ａ３に示したように、保持部４１を、セル保持部材３０の後面側Ｒに固定する。具体的には、第１固定部４４のヒンジ部４４Ａの弾性を利用して、掛止爪４４Ｂを第１受け部３２Ｂに掛止させる。また、第２固定部４５の掛止爪を第２受け部３２Ｃに掛止させる。
【００６５】
このとき、保持部４１の第１部分４１Ｂにおける湾曲部４１Ｄと平坦部４１Ｅとの境界線にリブ４１Ｆが設けられているので、リブ４１を押すと、その押圧力は保持部４１の全体にかかる。よって、リブ４１Ｆを押すという一つの動作によって、第１固定部４４の掛止爪４４Ｂの掛止と、第２固定部４５の掛止爪の掛止とを、同時に、かつ円滑・容易に行うことが可能となる。そのため、まず第２固定部４１Ｈの掛止爪を第２受け部３２Ｃに引っ掛けたのちに、第１固定部４１Ｇの掛止爪４１Ｊを第１受け部３２Ｂに引っ掛けるというような二段階の作業は不要となり、手間が省け、作業効率が向上する。
【００６６】
また、第１固定部４４は、保持部４１の先端部４１Ｇの幅方向一部に設けられているので、リブ４１Ｆを上から押すと、保持部４１の先端部４１Ｇの第１固定部４４以外の部分が傾斜部３２Ａに接触して押される。これにより、第２固定部４１Ｈの掛止爪が第２受け部３２Ｃにしっかりと引っ掛かる。よって、第２固定部４５の掛止爪の掛かりを確実にすることが可能となる。
【００６７】
なお、従来では、反転工程においてフレキシブル配線基板をダメージから守るために、使い回しのジグを用いる場合があった。すなわち、反転工程を行う前にジグを取り付け、反転工程が終わったらジグを取り外して次の反転工程に再利用し、ソース基板の最終的な固定には更に別の方法を用いていた。本実施の形態では、従来のような使い回しのジグを排除すると共に、ソース基板保持部材４０によりソース基板１２の最終的な固定も行うことが可能となる。つまり、ソース基板保持部材４０は、ソース基板１２の取付用のブラケットとしての機能も併せ持つことが可能となる。
【００６８】
続いて、セル保持部材３０の後面側Ｒを上に向けたまま、スピーカーの設置、基板類の実装、線材処理等を行い、セル保持部材３０の後面の外側下方の領域に被覆部材２２を被せる。このようにして、図２に示した本体部２が形成される。最後に、本体部２の背面にスタンド３を取り付けることにより、図１に示した表示装置１が完成する。
【００６９】
この表示装置１では、照明部材２６からの光は、直接、または反射シート２５により反射され、光学シート２４により均一に拡散されて表示部材１０のセル１１に入射する。この入射光は、偏光板（図示せず）を通過した後、セル１１の一対の基板（図示せず）間に印加された映像電圧に基づいて画素毎に変調されつつ液晶層（図示せず）を透過する。液晶層を透過した光は、カラーフィルタ（図示せず）を通過することにより、カラーの表示光として偏光板（図示せず）の外側へ取り出される。
【００７０】
このように本実施の形態の表示装置１では、ソース基板保持部材４０の保持部４１をセル保持部材３０の後面側Ｒに固定可能とし、係留部４２を前面側Ｆに固定可能としている。よって、セル保持部材３０の前面側Ｆ（つまり、ソース基板１２を保持した保持部４１が最終的に固定される後面側Ｒとは反対側）を上に向けた状態であっても、係留部４２をセル保持部材３０の前面側Ｆに固定することが可能となる。従って、従来のようにセルがバックライトの下にあり、バックライトの裏面（ＣＯＦが固定される面）が上向きになっている場合に限られることなく、より広範な場面で、フレキシブル配線基板１３にストレスや損傷が加わるのを回避することが可能となる。
【００７１】
本実施の形態の表示装置１の製造方法によれば、セル保持部材３０の前面側Ｆを上に向けた状態で係留部４２をセル保持部材３０の前面側Ｆに固定したのち、セル保持部材３０をセル１１と共に反転させて後面側Ｒを上に向けるようにしたので、セル保持部材３０を反転させるのに先立って、係留部４２をセル保持部材３０の前面側Ｆに固定しておくことが可能となる。よって、反転前または反転中にフレキシブル配線基板１３がストレスや損傷を受けるのを回避することが可能となる。
【００７２】
特に、保持部４１および係留部４２は、第１固定部４４，第２固定部４５および第３固定部４６として、弾性を利用して嵌め込みまたは掛止によりセル保持部材３０に固定可能なスナップフィット部を有するようにしたので、固定や取り外しを簡単にし、作業効率を高めることが可能となる。
【００７３】
（保持部の固定位置の変形例）
なお、上記実施の形態では、セル保持部材３０の後部３２の外側下方に傾斜部３２Ａを設け、この傾斜部３２Ａに保持部４１を固定するようにした場合について説明したが、保持部４１の固定位置は、図１３に示したように、適宜変更可能である。その場合には、保持部４１の固定位置に応じて、セル保持部材３０の形状を適宜変更することが好ましい。例えば、傾斜部３２Ａの傾斜角度を変更する、第１受け部３２Ｂおよび第２受け部３２Ｃを拡張部３４に設ける、等が考えられる。また、保持部４１を中空に浮いた状態に保持することも可能である。
【００７４】
（係留部の固定位置の変形例１）
図１４は、変形例１に係る表示装置１を前面側Ｆから見た構成を表したものである。本変形例は、係留部４２を開放部３３の短辺に固定するようにしたものである。開放部３３は、上記実施の形態で説明したような矩形長孔状の切欠部（図４参照。）でもよいが、それに代えて、図１４に示したような矩形の三辺をなす形状の切欠部とすることも可能となり、狭額縁化に有利となる。
【００７５】
図１５は、図１４に示したソース基板保持部材４０の構成を表したものである。保持部４１および係留部４２は、図１５に示したように、連結部４３によってＬ字形に繋がれている。連結部４３は、肉厚部４３Ｂを長くすることにより、Ｌ字形に屈曲した形状をなしている。
【００７６】
図１６は、このソース基板保持部材４０のセル保持部材３０への取付状態を後面側Ｒからみた構成を表したものである。ソース基板保持部材４０において、係留部４２は、セル保持部材３０の前部３１において、開放部３３の短辺３３Ｂに固定されている。連結部４３は、開放部３３を通って後部３２側に回り込んでいる。保持部４１は、セル保持部材３０の後部３２に固定されている。
【００７７】
具体的には、係留部４２の第３固定部４６において、ヒンジ部４６Ａが開放部３３の短辺３３Ｂに設けられた凹部３１Ｃに嵌め込まれ、掛止爪４６Ｂが開放部３３の短辺３３Ｂに設けられた第３受け部３１Ｄに掛止されている。
【００７８】
保持部４１は、上記実施の形態と同様に、後部３２の傾斜部３２Ａに固定されている。具体的には、第１固定部４４の掛止爪４４Ｂがセル保持部材３０の後部３２の第１受け部３２Ｂに掛止され、第２固定部４５の掛止爪がセル保持部材３０の後部３２の第２受け部３２Ｃに掛止されている（図７参照。）。
【００７９】
（係留部の固定位置の変形例２）
図１７は、変形例２に係る表示装置１の一部を前面側Ｆから見た構成を表したものである。本変形例は、セル保持部材３０の前部３１の下辺３１Ｂの外側の空間を開放部３３として利用し、係留部４２を、前部３１の下辺３１Ｂに固定するようにしたものである。これにより、上記変形例１よりも更に狭額縁化に有利となる。
【００８０】
図１８は、図１７に示したソース基板保持部材４０のセル保持部材３０への取付状態を表したものである。なお、図１８では前部外装部材２１を省略している。ソース基板保持部材４０において、係留部４２は、セル保持部材３０の前部３１において、セル保持部材３０の前部３１の下辺３１Ｂに固定されている（図１７参照。）。連結部４３は、開放部３３を通って後部３２側に回り込んでいる。保持部４１は、セル保持部材３０の後部３２に固定されている。なお、連結部４３の形状（肉厚部および関節部の個数、肉厚部を連結部４３のどちら側の面に設けるか等）は、必要に応じて適宜変更することが望ましい。
【００８１】
具体的には、係留部４２の第３固定部４６において、ヒンジ部４６Ａが前部３１の下辺３１Ｂに設けられた凹部３１Ｃに嵌め込まれ、掛止爪４６Ｂが前部３１の下辺３１Ｂに設けられた第３受け部３１Ｄに掛止されている。
【００８２】
保持部４１は、上記実施の形態と同様に、後部３２の傾斜部３２Ａに固定されている。具体的には、第１固定部４４の掛止爪４４Ｂがセル保持部材３０の後部３２の第１受け部３２Ｂに掛止され、第２固定部４５の掛止爪がセル保持部材３０の後部３２の第２受け部３２Ｃに掛止されている。
【００８３】
なお、変形例２は、上記実施の形態の図４および図７に示したように、開放部３３が矩形長孔状の切欠部である場合にも適用可能である。すなわち、上記実施の形態のように開放部３３が矩形長孔状の切欠部である場合において、係留部４２は、開放部３３のセル１１に近い側の長辺に固定されていてもよい。
【００８４】
以上、実施の形態を挙げて本開示を説明したが、本開示は上記実施の形態に限定されるものではなく、種々の変形が可能である。例えば、上記実施の形態において説明した保持部４１，係留部４２および連結部４３の形状は限定されるものではなく、他の形状としてもよい。例えば、保持部４１は、上記実施の形態のような矩形枠に限らず、例えば洗濯ばさみのようにソース基板１２の両面を挟み込む構成とすることも可能である。
【００８５】
また、例えば、上記実施の形態において説明した各構成要素の材料などは限定されるものではなく、他の材料としてもよい。例えば、上記実施の形態では、ソース基板保持部材４０の保持部４１，係留部４２および連結部４３が樹脂材料の一体成形により構成されている場合について説明したが、ソース基板保持部材４０の構成・形状によっては、ソース基板保持部材４０は樹脂に限らず金属など他の材料により構成することも可能である。また、ソース基板保持部材４０は、樹脂と金属との組合せにより構成することも可能である。
【００８６】
更に、例えば、上記実施の形態では表示部材１０が液晶のセル１１を備えた場合について説明したが、本開示は、表示部材１０が有機ＥＬ、電気泳動素子などの他の表示方式によるセル１１を備えている場合にも適用可能である。また、セル１１の画面は平坦面に限られず、湾曲面であってもよい。
【００８７】
加えて、例えば、上記実施の形態において表示装置１（テレビジョン装置）の構成を具体的に挙げて説明したが、全ての構成要素を備える必要はなく、また、他の構成要素を更に備えていてもよい。
【００８８】
本開示に係る表示装置は、上記実施の形態で説明したテレビジョン装置のほか、モニター，デジタルカメラ，パーソナルコンピュータ、携帯電話やスマートホン等の携帯端末装置あるいはビデオカメラなどのあらゆる分野の電子機器に適用することが可能である。言い換えると、本開示の表示装置は、外部から入力された映像信号あるいは内部で生成した映像信号を、画像あるいは映像として表示するあらゆる分野の電子機器に適用することが可能である。
【００８９】
なかでも、テレビジョン装置やモニターなどの大型表示装置は、製造工程の途中でセル保持部材の反転工程を含み、その反転工程においてソース基板の保持やフレキシブル配線基板の保護が必要となる。本開示はそのような大型の表示装置に特に好適である。
【００９０】
なお、本技術は以下のような構成を取ることも可能である。
（１）
セルおよびソース基板をフレキシブル配線基板により接続した表示部材と、
セル保持部材と、
ソース基板保持部材と
を備え、
前記ソース基板保持部材は、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有する表示装置。
（２）
前記保持部および前記係留部は、弾性を利用して嵌め込みまたは掛止により前記セル保持部材に固定可能なスナップフィット部を有する
前記（１）記載の表示装置。
（３）
前記連結部は、可撓性を有する
前記（１）または（２）記載の表示装置。
（４）
前記保持部は、
前記ソース基板を挿通可能な貫通孔と、
前記貫通孔に挿通される前記ソース基板の厚み方向に対向する第１部分および第２部分と
を有し、
前記第２部分は、平坦部であり、
前記第１部分は、前記第２部分に向かって突出する湾曲部を有する
前記（１）ないし（３）のいずれか１項に記載の表示装置。
（５）
前記湾曲部は、前記第１部分の幅方向一部に設けられており、
前記第１部分の幅方向残部は、平坦部である
前記（４）記載の表示装置。
（６）
前記第１部分における湾曲部と平坦部との境界線に、前記湾曲部とは逆方向に突出するリブが設けられている
前記（５）記載の表示装置。
（７）
前記湾曲部は、前記貫通孔に挿通される前記ソース基板の厚み方向における変位を抑えると共に、前記ソース基板の前記貫通孔への挿通方向における変位を許容する
前記（４）ないし（６）のいずれか１項に記載の表示装置。
（８）
前記セル保持部材は、
前記セルが載置される前部と、
前記前部に載置された前記セルの後面を被覆する後部と、
前記ソース基板および前記フレキシブル基板を通すことが可能な開放部と
を有し、
前記ソース基板保持部材において、前記係留部は前記前部に固定され、前記連結部は前記開放部を通って前記後部側に回り込み、前記保持部は前記ソース基板を保持して前記後部に固定される
前記（１）ないし（７）のいずれか１項に記載の表示装置。
（９）
前記開放部は、前記前部の辺に沿って設けられた、一方向に長い切欠部であり、
前記係留部は、前記開放部の長辺に固定され、
前記保持部および前記係留部は、前記連結部によって直線形に繋がれている
前記（８）記載の表示装置。
（１０）
前記開放部は、前記前部の辺の外側の空間であり、
前記係留部は、前記前部の辺に固定され、
前記保持部および前記係留部は、前記連結部によって直線形に繋がれている
前記（８）記載の表示装置。
（１１）
前記開放部は、前記前部の辺に沿って設けられた、一方向に長い切欠部であり、
前記係留部は、前記開放部の短辺に固定され、
前記保持部および前記係留部は、前記連結部によってＬ字形に繋がれている
前記（８）記載の表示装置。
（１２）
前記ソース基板保持部材は、前記ソース基板の長手方向両端部に配置されている
前記（１）ないし（１１）のいずれか１項に記載の表示装置。
（１３）
セルおよびソース基板をフレキシブル配線基板により接続した表示部材と、セル保持部材と、ソース基板保持部材とを備えた表示装置の製造方法であって、
前記ソース基板保持部材は、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有し、
前記製造方法は、
前記表示部材の前記ソース基板を前記保持部により保持させる工程と、
前記セル保持部材の前記第２の側を上に向けた状態で、前記セルを前記セル保持部材の前記第２の側に載せ、前記係留部を前記セル保持部材の前記第２の側に固定する工程と、
前記セル保持部材を前記セルと共に反転させて前記第１の側を上に向け、前記保持部を前記セル保持部材の前記第１の側に固定する工程と
を含む表示装置の製造方法。
（１４）
セルおよびソース基板をフレキシブル配線基板により接続した表示部材と、セル保持部材とを備えた表示装置に用いられるソース基板保持部材であって、
前記ソース基板を保持すると共に前記セル保持部材の第１の側に固定可能な保持部と、
前記セル保持部材の前記第１の側とは反対の第２の側に固定可能な係留部と、
前記係留部および前記保持部を繋ぐ連結部と
を有するソース基板保持部材。
【符号の説明】
【００９１】
１…表示装置、２…本体部、３…スタンド、１０…表示部材、１１…セル、１２…ソース基板、１３…フレキシブル配線基板、２１…前部外装部材（ベゼル）、２２…被覆部材、２３…中間筐体（ミドルシャーシ）、２４…光学シート、２５…反射シート、２６…照明部材、３０…セル保持部材（リアカバー兼バックシャーシ）、３１…前部、３２…後部、３３…開放部、３４…拡張部、４０…ソース基板保持部材、４１…保持部、４２…係留部、４３…連結部、４４…第１固定部、４５…第２固定部、４６…第３固定部。
【図１】
2014032305.tif 000003
【図２】
2014032305.tif 000004
【図３】
2014032305.tif 000005
【図４】
2014032305.tif 000006
【図５】
2014032305.tif 000007
【図６】
2014032305.tif 000008
【図７】
2014032305.tif 000009
【図８】
2014032305.tif 000010
【図９】
2014032305.tif 000011
【図１０】
2014032305.tif 000012
【図１１】
2014032305.tif 000013
【図１２】
2014032305.tif 000014
【図１３】
2014032305.tif 000015
【図１４】
2014032305.tif 000016
【図１５】
2014032305.tif 000017
【図１６】
2014032305.tif 000018
【図１７】
2014032305.tif 000019
【図１８】
2014032305.tif 000020